(57)【要約】【課題】データ領域においてＯＰＣを行うことができるとともに、記録容量を減少させない情報記録技術を提供する。【解決手段】ＯＰＣ処理を行う際には、段階的に変化させるそれぞれの記録パワーで記録されたそれぞれの領域の反射率がそれぞれ略一定となるようにＯＰＣ処理を実行する情報記録装置であって、前記ＯＰＣ処理を行うときの記録信号のパルス幅と、当該記録信号で記録をした領域の記録前後の反射率変化の目標値と、を対応付けた情報を取得する手段と、装填された情報記録媒体のデータ記録領域に、取得した記録信号のパルス幅で前記ＯＰＣ処理を行い、前記ＯＰＣ処理が行われたそれぞれの領域及び未記録領域の反射率を測定する手段と、測定したそれぞれの領域の反射率及び未記録領域の反射率に基づいて、取得した反射率変化の目標値と一致する記録パワーを探索し、最適記録パワーとする手段と、を備える。【選択図】図５
2011187121.tif 000002
【特許請求の範囲】
【請求項１】
記録パワーを段階的に変化させてＯＰＣ（Optimum Power Control）処理を行う際には、段階的に変化させるそれぞれの記録パワーで記録されたそれぞれの領域の反射率がそれぞれ略一定となるようにＯＰＣ処理を実行する情報記録装置であって、
装填された情報記録媒体の最適な再生特性を得るための情報であり、前記ＯＰＣ処理を行うときの記録信号のパルス幅と、当該記録信号で記録をした領域の記録前後の反射率変化の目標値と、を備えた最適情報を取得する情報取得手段と、
前記装填された情報記録媒体のデータ領域に、前記情報取得手段で取得された記録信号のパルス幅で前記ＯＰＣ処理を行うＯＰＣ実行手段と、
前記ＯＰＣ処理が行われたそれぞれの領域及び未記録領域の反射率を測定する反射率測定手段と、
前記反射率測定手段により測定されたそれぞれの領域の反射率及び未記録領域の反射率に基づいて、前記情報取得手段で取得された反射率変化の目標値と一致する記録パワーを探索し、探索した記録パワーを最適記録パワーとする最適記録パワー決定手段と、
を備えることを特徴とする情報記録装置。
【請求項２】
前記ＯＰＣ処理を行うときの記録信号は、矩形パルスの記録信号であることを特徴とする請求項１記載の情報記録装置。
【請求項３】
前記ＯＰＣ処理を行うときの記録信号は、１基準クロックあたり１パルスの記録信号であることを特徴とする請求項２記載の情報記録装置。
【請求項４】
前記情報取得手段は、
情報記録媒体の種類ごとに前記最適情報を備えた所定の記憶部から、前記装填された情報記録媒体の種類に該当する前記最適情報を取得することを特徴とする請求項１乃至３のいずれか１項に記載の情報記録装置。
【請求項５】
前記所定の記憶部は、自装置、前記装填された情報記録媒体、または自装置と通信ネットワークを介して接続された外部装置に存することを特徴とする請求項４記載の情報記録装置。
【請求項６】
前記ＯＰＣ実行手段は、前記装填された情報記録媒体の所定の１トラックの少なくとも一部に対して前記ＯＰＣ処理を実行することを特徴とする請求項１乃至５のいずれか１項に記載の情報記録装置。
【請求項７】
前記ＯＰＣ実行手段は、前記段階的に変化させるそれぞれの記録パワーごとに、前記装填された情報記録媒体の同一半径方向のそれぞれ異なるトラックに対して前記ＯＰＣ処理を実行することを特徴とする請求項１乃至６のいずれか１項に記載の情報記録装置。
【請求項８】
前記ＯＰＣ実行手段が前記ＯＰＣ処理を実行した領域に、前記最適記録パワー決定手段で決定した最適記録パワーで、データを記録するデータ記録手段をさらに備える請求項１乃至７のいずれか１項に記載の情報記録装置。
【請求項９】
記録パワーを段階的に変化させてＯＰＣ（Optimum Power Control）処理を行う際には、段階的に変化するそれぞれの記録パワーで記録されたそれぞれの領域の反射率がそれぞれ略一定となるようにＯＰＣ処理を実行し、最適記録パワーを決定する最適記録パワー決定方法であって、
装填された情報記録媒体から、少なくとも情報記録媒体の種類を含むディスク情報を取得するディスク情報取得ステップと、
前記装填された情報記録媒体の最適な再生特性を得るための情報であり、前記ＯＰＣ処理を行うときの記録信号のパルス幅と、当該記録信号で記録をした領域の記録前後の反射率変化の目標値と、を備えた最適情報を、前記ディスク情報取得ステップで取得したディスク情報に基づいて、取得する最適情報取得ステップと、
前記装填された情報記録媒体のデータ領域に、前記最適情報取得ステップで取得された記録信号のパルス幅で前記ＯＰＣ処理を行うＯＰＣ処理実行ステップと、
前記ＯＰＣ処理が行われたそれぞれの領域及び未記録領域の反射率を測定する反射率測定ステップと、
前記反射率測定ステップにより測定されたそれぞれの領域の反射率及び未記録領域の反射率に基づいて、前記最適情報取得ステップで取得された反射率変化の目標値と一致する記録パワーを探索し、探索した記録パワーを最適記録パワーとする最適記録パワー決定ステップと、
を有することを特徴とする最適記録パワー決定方法。
【請求項１０】
コンピュータを、請求項１〜８のいずれか１項に記載の情報記録装置の各手段として機能させることを特徴とするコンピュータプログラム。
【発明の詳細な説明】
【技術分野】
【０００１】
本発明は、情報記録媒体に情報を記録する情報記録装置に関し、より詳しくは、情報記録装置が情報を記録する際に照射するレーザ光の最適記録パワーを決定する技術に関する。
【背景技術】
【０００２】
光ディスク記録装置において、記録型光ディスクにデータを記録する際には、ＯＰＣ（Optimum Power Control）を行って、最適な記録パワーを探索する（例えば、特許文献１、２参照）。ここで、ＯＰＣとは、記録パワーを段階的に変更して試し書きを行い、試し書きを行った領域の再生特性を測定して、再生特性が最も良好となる領域の記録パワーを最適な記録パワーとして決定する方法である。
【０００３】
ところで、ＯＰＣは、記録型光ディスクに予め用意されているＤＴＡ（Disc Testing Area）において行われる。ＤＴＡは、再生専用光ディスクとの互換性保持や記録型光ディスクの記録容量の減少回避のため、データを記録するためのデータ領域の内側（ＩＤＴＡ：Inner ＤＴＡ）あるいは外側（ＯＤＴＡ：Outer ＤＴＡ）に設けられている。図１は、記録型光ディスクのデータ記録面側の外観図である。ＩＤＴＡをＡ１、データ領域をＡ２、ＯＤＴＡをＡ３の符号で示す。
【先行技術文献】
【特許文献】
【０００４】
【特許文献１】特開２００２−４２３４０号公報
【特許文献２】特開２００５−０６３４７６号公報
【発明の概要】
【発明が解決しようとする課題】
【０００５】
しかしながら、ＤＴＡがデータ領域の内側または外側に存在することによって、以下のような問題が存在する。
【０００６】
（ＩＤＴＡの場合）
記録型光ディスクでは、外周部の方が内周部よりも高倍速でデータを記録することが可能である。図２は、１００００ｒｐｍで記録を行う能力がある光ディスク記録装置を用いてＤＶＤ（Digital Versatile Disc）にデータを記録する場合の半径位置に対する記録可能線速度の最大値を示すグラフである。この場合には、図２に示すように、中周部付近（Ｒ＝４０ｍｍ）では、最大１２倍速の線速度、外周部付近（Ｒ＝５５ｍｍ）では、最大１６倍速の線速度で記録可能である。これに対して、ＩＤＴＡがあるデータ領域の内側（例えば、Ｒ＝２３ｍｍ）付近では、最大７倍速の線速度までしか記録を行うことができない。
【０００７】
このように、内周部では、中周部や外周部ほど高速に記録することができないので、ＤＴＡがデータ領域の内側にある場合には、中周部や外周部において記録可能な高速の線速度に対する最適記録パワーを直接求めることはできないという問題がある。
【０００８】
（ＯＤＴＡの場合）
ＯＤＴＡは、記録型光ディスクの外縁に存在するため、取り扱いによっては指紋などの汚れが付着する可能性が存在する。また、記録層をスピンコートで形成する色素系の記録型光ディスクでは、ＯＤＴＡが存在する最外周部において、製造環境により塗布斑が発生するおそれもある。
【０００９】
そのため、ＯＤＴＡでＯＰＣを行うと、最適な記録パワーを正確に求めることができないという問題がある。
【００１０】
さらには、記録型光ディスクの中には面内特性が大きく異なる光ディスクも存在するため、ＩＤＴＡ及びＯＤＴＡで求めた最適な記録パワーを用いて、データ領域に記録すると、所望の再生特性が得られない場合があり得る。
【００１１】
一方、ＤＴＡをデータ領域に設けた場合には、上述したように、記録容量が減少するという問題が生じる。
【００１２】
本発明は、上記の事情に鑑みてなされたものであり、その課題の一例としては、データ領域においてＯＰＣを行うことができるとともに、記録容量を減少させない情報記録技術を提供することにある。
【課題を解決するための手段】
【００１３】
上記の課題を達成するため、本発明の第１の態様は、記録パワーを段階的に変化させてＯＰＣ（Optimum Power Control）処理を行う際には、段階的に変化させるそれぞれの記録パワーで記録されたそれぞれの領域の反射率がそれぞれ略一定となるようにＯＰＣ処理を実行する情報記録装置であって、装填された情報記録媒体の最適な再生特性を得るための情報であり、前記ＯＰＣ処理を行うときの記録信号のパルス幅と、当該記録信号で記録をした領域の記録前後の反射率変化の目標値と、を備えた最適情報を取得する情報取得手段と、前記装填された情報記録媒体のデータ領域に、前記情報取得手段で取得された記録信号のパルス幅で前記ＯＰＣ処理を行うＯＰＣ実行手段と、前記ＯＰＣ処理が行われたそれぞれの領域及び未記録領域の反射率を測定する反射率測定手段と、前記反射率測定手段により測定されたそれぞれの領域の反射率及び未記録領域の反射率に基づいて、前記情報取得手段で取得された反射率変化の目標値と一致する記録パワーを探索し、探索した記録パワーを最適記録パワーとする最適記録パワー決定手段と、を備えている。
【００１４】
また、本発明の第２の態様は、記録パワーを段階的に変化させてＯＰＣ（Optimum Power Control）処理を行う際には、段階的に変化するそれぞれの記録パワーで記録されたそれぞれの領域の反射率がそれぞれ略一定となるようにＯＰＣ処理を実行し、最適記録パワーを決定する最適記録パワー決定方法であって、装填された情報記録媒体から、少なくとも情報記録媒体の種類を含むディスク情報を取得するディスク情報取得ステップと、前記装填された情報記録媒体の最適な再生特性を得るための情報であり、前記ＯＰＣ処理を行うときの記録信号のパルス幅と、当該記録信号で記録をした領域の記録前後の反射率変化の目標値と、を備えた最適情報を、前記ディスク情報取得ステップで取得したディスク情報に基づいて、取得する最適情報取得ステップと、前記装填された情報記録媒体のデータ領域に、前記最適情報取得ステップで取得された記録信号のパルス幅で前記ＯＰＣ処理を行うＯＰＣ処理実行ステップと、前記ＯＰＣ処理が行われたそれぞれの領域及び未記録領域の反射率を測定する反射率測定ステップと、前記反射率測定ステップにより測定されたそれぞれの領域の反射率及び未記録領域の反射率に基づいて、前記最適情報取得ステップで取得された反射率変化の目標値と一致する記録パワーを探索し、探索した記録パワーを最適記録パワーとする最適記録パワー決定ステップと、を有している。
【００１５】
また、本発明の第３の態様は、コンピュータを、第１の態様の情報記録装置の各手段として機能させるコンピュータプログラムである。
【図面の簡単な説明】
【００１６】
【図１】記録型光ディスクのデータ記録面の外観図である。
【図２】１００００ｒｐｍで記録を行う能力がある光ディスク記録装置を用いてＤＶＤに記録する場合の半径位置に対する記録可能線速度の最大値を示すグラフである。
【図３】本発明の実施の形態に係るＯＰＣ記録信号の波形を示す概略図である。
【図４】本発明の実施の形態に係るＯＰＣ記録信号で記録したときのＯＰＣ記録領域の反射率を示す概略図である。
【図５】本発明の実施の形態に係るＯＰＣ記録信号と、当該ＯＰＣ記録信号で記録したときのＯＰＣ記録領域の反射率を対応付けて示す概略図である。
【図６】ＤＶＤ−Ｒのデータ領域の未記録トラックに対して８倍速でデータを記録したときの記録パワーとジッタ値の関係を示すグラフである。
【図７】ＤＶＤ−Ｒのデータ領域の未記録トラックに、パルス幅Ｔａ＝０．３５Ｔ及び０．４０ＴのＯＰＣ記録信号でＯＰＣを行ったときのＯＰＣ記録パワーＰａとＯＰＣ記録トラックの反射率変化Ｒａ／Ｒｔｏｐの関係を示すグラフである
【図８】ＯＰＣ記録信号のパルス幅をＴａ＝０．３５ＴでＯＰＣを行ったＯＰＣ記録トラックに対して、最適な記録パワーＰｏ＝２４．５ｍＷでデータを記録したときのＯＰＣ記録パワーＰａとジッタ値の関係を示すグラフである
【図９】本発明の実施の形態に係る光ディスク記録装置の概略構成図である。
【図１０】本発明の実施の形態に係る光ディスク記録装置が内蔵するテーブルデータの一例である。
【図１１】本発明の実施の形態に係る光ディスク記録装置の最適パワー決定処理の流れを示すフローチャートである。
【図１２】本発明の実施の形態に係るＯＰＣにおいて、ＯＰＣ記録領域のバリエーションを示す図である。
【図１３】本発明の別の実施の形態に係るＯＰＣのＯＰＣ記録領域を示す図である。
【発明を実施するための形態】
【００１７】
以下、本発明の実施の形態を図面を用いて説明する。
【００１８】
＜ＯＰＣ（Optimum Power Control）の概要＞
まず、本発明の実施の形態に係るＯＰＣの方法について概説する。本実施の形態に係るＯＰＣは、情報記録媒体である光ディスクのＤＴＡ（Disc Testing Area）ではなく、データを記録するデータ領域において行われる。詳しくは、本実施の形態では、未記録のデータ領域の所定の領域を用いてＯＰＣを実行して、最適な記録パワー（以下、最適な記録パワーを最適記録パワーＰｏと表記する）を探索した後、ＯＰＣを実行した所定の領域（以下、ＯＰＣ記録領域ともいう）を含むデータ領域にデータを記録する、つまり、ＯＰＣ記録領域と、実際にデータを記録したデータ領域（以下、データ記録領域ともいう）の少なくとも一部が同一となるので、光ディスクの面内特性の問題を考慮する必要もなく、最適な記録パワーの設定が容易となっている。なお、以下においては、ＯＰＣによる試し書きの記録をＯＰＣ記録、データを記録するときの記録をデータ記録と称して説明を行う。
【００１９】
また、詳しくは後述するが、本実施の形態に係るＯＰＣは、未記録のデータ領域にＯＰＣを実行した後、ＯＰＣ記録領域にデータ記録をしても、再生特性が悪化することはない、すなわち、同一領域に重ね書きしても、再生特性を良好とすることができる方法である。したがって、従来においてデータ領域にＯＰＣをする場合に問題とされた、再生専用ディスクとの互換性欠如及びデータ記録容量の減少も生じない。
【００２０】
なお、光ディスクの所定の領域に一旦所定の情報を記録した後、当該所定の情報を記録した領域に対して再度、所定の情報を重ね書きする技術に関しては、本発明者によるＰＣＴ／ＪＰ２００９／５９１３０（以下、文献１という）に記載されている。
【００２１】
文献１では、ＤＣ（Direct Current）記録により形成された可視画像領域上に、再度、データを記録しても、再生特性が良好である情報記録技術を述べている。そして、この可視画像領域を形成する際には、ＤＣ記録のほか、矩形波記録、正弦波記録など可視画像領域の反射率を一様に変化させる記録信号であれば特に限定されない旨を述べている（［００７９参照］）。
【００２２】
図３は、本実施の形態に係るＯＰＣを実行する場合の記録信号（以下、ＯＰＣ記録信号ともいう）の波形を示す概略図であり、図４は、図３に示すＯＰＣ記録信号で記録したときのＯＰＣ記録領域の反射率を示す概略図である。
【００２３】
図３に示すように、本実施の形態に係るＯＰＣ記録信号は、記録パワーＰａ、パルス幅Ｔａの矩形パルスであり、１基準クロック（クロック周波数）に対して１パルス（１Ｔ≧Ｔａ）の構成となっている。そして、図３に示すＯＰＣ記録信号を用いて記録を行うと、図４に示すように、データ領域の未記録部（情報が記録されていない部分）の反射率Ｒｔｏｐは一様に低下して、反射率Ｒａとなる。この結果、本実施の形態のデータ記録方法は、ＯＰＣ記録領域の反射率が略一定となるので、この反射率が略一定のＯＰＣ記録領域に対して、データを重ねて記録する方法である。
【００２４】
ここで、ＯＰＣ記録領域の反射率を略一定とするようなＯＰＣ記録を採用したのは、以下の理由による。
【００２５】
記録型光ディスクは、マーク部とスペース部の反射率差を利用してデータの記録を行っている。そのため、データの記録を精度良く行うためには、データ記録を行う前の、データ記録を行う領域の反射率が一様である必要がある。データ記録前にデータ記録領域に反射率差が存在すると（反射率が一様でないと）、この反射率差がノイズとなり、データ記録後のデータ記録領域の再生特性は悪化するからである。
【００２６】
本実施の形態では、この点に着目し、データ記録を行う領域に対し、データ記録前に行うＯＰＣ記録において、反射率が一様となるように（ＯＰＣ記録領域内で反射率差が存在しないように）ＯＰＣを行うことで、ＯＰＣ記録領域にデータ記録を行った時のデータ記録領域の再生特性の悪化を抑制するようにしている。
【００２７】
加えて、詳しくは後述するが、ＯＰＣ記録領域にデータを重ねて記録しても、再生特性を大きく悪化させることなく、データ再生を可能とするのは、ＯＰＣ記録信号のパルス幅Ｔａが好適なパルス幅となっているからである。
【００２８】
図５は、ＯＰＣの記録パワーＰａを段階的に大きくしていく場合のＯＰＣ記録信号と、当該ＯＰＣ記録信号で記録したときのＯＰＣ記録領域の反射率を対応付けて示した概略図である。本実施の形態のＯＰＣは、図５に示すように、所定の領域ごとに段階的に記録パワーＰａを変化させて、つまり複数の記録パワーＰａｉ（ｉは自然数：図５においてはｉ＝１〜４）を切り替えて、その都度、各記録パワーＰａｉで記録されたＯＰＣ記録領域の反射率Ｒａｉ（ｉは自然数：図５においてはｉ＝１〜４）がそれぞれ略一様となるように記録を行うようになっている。すなわち、本実施の形態のＯＰＣ記録領域は、反射率Ｒａｉが段階的に一様に低下する領域となっている。
【００２９】
例えば、図５においては、記録パワーＰａ１で記録を行った領域Ａの反射率はＲａ１、記録パワーＰａ２で記録を行った領域Ｂの反射率はＲａ２、記録パワーＰａ３で記録を行った領域Ｃの反射率はＲａ３、記録パワーＰａ４で記録を行った領域Ｄの反射率はＲａ４となっている。
【００３０】
そして、各ＯＰＣ記録領域の反射率Ｒａｉの、未記録領域（ＯＰＣ記録を実行していない領域）における反射率Ｒｔｏｐに対する割合（以下、ＯＰＣ記録領域の反射率変化ともいう）Ｒａｉ／Ｒｔｏｐを求め、反射率変化Ｒａｉ／Ｒｔｏｐが、予め定められた目標値Ｒｒとなるときの記録パワーＰａｉを最適記録パワーＰｏとして決定する。このように本実施の形態のＯＰＣは、記録パワーＰａｉが異なるそれぞれのＯＰＣ記録領域の反射率Ｒａｉを求め、反射率Ｒａｉから最適記録パワーＰｏを算出する方法である。なお、本実施の形態に係るＯＰＣにおいて、目標値Ｒｒ、つまり、最適記録パワーＰｏとなるときの、ＯＰＣ記録領域の反射率変化Ｒａｉ／Ｒｔｏｐは、事前に判明しているものであり（具体的には、実験等による）、既知の目標値Ｒｒの値を用いて、最適記録パワーＰｏを算出するものである。また、本実施の形態の未記録領域の反射率Ｒｔｏｐとしては、ＯＰＣ記録を実行しない領域の反射率のほかに、ＯＰＣ記録を実行する前のＯＰＣ記録領域の反射率を用いてもよい。
【００３１】
なお、以下においては、個々の記録パワーＰａｉ及び反射率Ｒａｉに言及するのではなく、記録パワーＰａｉ及び反射率Ｒａｉを総称する場合には、それぞれ、記録パワーＰａ及び反射率Ｒａと略して表記する。
【００３２】
＜実験データ＞
次に、本発明の実施の形態に係るＯＰＣを具体的な実験データ値を用いて説明する。なお、以下の図６〜図８に示す実験データ値は、所定の光ディスク記録装置を用いて、ＤＶＤ−Ｒに８倍速の線速度及び所定の記録条件でデータを記録した場合の値を示すものである。
【００３３】
図６は、ＤＶＤ−Ｒのデータ領域の未記録トラックに対して８倍速でデータを記録したときの記録パワーとジッタ値の関係を示すグラフである（実験１）。ジッタ値は、再生特性の品質を示す値であり、ジッタ値が小さいほど品質が良好なことを意味する。具体的には、ジッタ値が８％以下であれば再生特性は良好であり、１０％以上であれば、再生特性は悪く、記録データの再生は不可となるおそれがある。
【００３４】
実験１からは、図６に示すように、当該装置及び当該条件における最適記録パワーＰｏは、２４．５ｍＷであることがわかる。
【００３５】
これに対して、図７は、同一のＤＶＤ−Ｒのデータ領域の未記録トラックに、パルス幅Ｔａ＝０．３５Ｔ及び０．４０ＴのＯＰＣ記録信号でＯＰＣを行ったときのＯＰＣ記録パワーＰａとＯＰＣを行った記録トラック（ＯＰＣ記録トラック）の反射率変化Ｒａ／Ｒｔｏｐの関係を示すグラフである（実験２）。なお、実験２では、ＤＶＤ−Ｒの所定の１トラック全領域に対してＯＰＣ記録を行った。
【００３６】
図７は、ＯＰＣ記録信号のパルス幅Ｔａの値に応じて、ＯＰＣ記録トラックの反射率変化Ｒａ／Ｒｔｏｐが異なることを示している。具体的には、実験２からは、実験１から得られた最適記録パワーＰｏである２４．５ｍＷのときのパルス幅Ｔａは０．３５Ｔ、及び反射率変化Ｒａ／Ｒｔｏｐは、０．９７であることがわかる（図７のＰ１の値）。すなわち、実験２から、目標値Ｒｒは０．９７であることがわかる。
【００３７】
このことから、この所定の光ディスク記録装置を用いて、所定の記録条件及び８倍速で、データを記録する場合には、データ領域の未記録トラックに対して、ＯＰＣ記録信号のパルス幅をＴａ＝０．３５ＴでＯＰＣを行い、Ｒａ／Ｒｔｏｐ＝０．９７となるときの記録パワーＰａを求めることにより、最適記録パワーＰｏ＝２４．５ｍＷを直接求めることができる。
【００３８】
図８は、ＯＰＣ記録信号のパルス幅をＴａ＝０．３５ＴでＯＰＣを行ったＯＰＣ記録トラックに対して、最適記録パワーＰｏ＝２４．５ｍＷでデータを記録したときのＯＰＣ記録パワーＰａとジッタ値の関係を示すグラフである（実験３）。すなわち、図８に示すジッタ値は、ＯＰＣ記録信号のパルス幅Ｔａを、最適記録パワーＰｏが得られるパルス幅Ｔａ＝０．３５Ｔに設定して記録したＯＰＣ記録トラックに対して、重ねて、最適記録パワーＰｏでデータ記録した場合のジッタ値である。
【００３９】
具体的には、記録パワーＰａ＝２４．５ｍＷでＯＰＣ記録したＯＰＣ記録トラックに対して、重ねてデータ記録した場合には、ジッタ値は７．８％であるから（図８のＰ３を示す）、同一トラックにＯＰＣ記録とデータ記録とを重ねて行っても良好な再生特性が維持されていることを示している。また、記録パワーＰａ＝２７．５ｍＷでＯＰＣ記録したＯＰＣ記録トラックに対して、重ねてデータ記録した場合には、ジッタ値は９．３％であるから（図８のＰ４を示す）、このトラック（実験３において、段階的な記録パワーのうちの最大記録パワーでＯＰＣ記録をした領域）も、重ね書きしても再生可能であることを示している。勿論、ＯＰＣの段階的な記録パワーＰａのうち、２７．５ｍＷよりも低い記録パワーＰａでＯＰＣ記録をしたトラックのジッタ値は、９．３％よりも小さい値となるから（図８参照）、実験３は、全ＯＰＣ記録トラックに対して、最適記録パワーＰｏでデータを重ね書きしても、良好な再生特性であることを示している。換言すれば、図６〜図８は、ＯＰＣ記録トラックの反射率の低下を最大で８％程度（図７において、パルス幅Ｔａが０．３５Ｔ、ＯＰＣ記録パワーＰａが最大となる２７．５ｍＷのＰ２の反射率変化Ｒａ／Ｒｔｏｐに基づく）に抑えることができれば、ＯＰＣ記録トラックに最適記録パワーＰｏでデータを重ね書きしても、良好な再生特性を維持できることを示している。
【００４０】
なお、データ記録において、文献１記載のデータ記録技術を用いることで、最適記録パワーＰｏでＯＰＣ記録トラックにデータを重ねて記録しても良好な再生特性を維持することができる。また、ＯＰＣ記録トラックの反射率の低下する範囲を拡大することが可能となり、より広い範囲で記録パワーＰａを設定できるようになる。
【００４１】
＜光ディスク記録装置の構成＞
次に、上述した本実施の形態に係るＯＰＣが組み込まれた情報記録装置である光ディスク記録装置１００の構成について説明する。
【００４２】
図９は、本発明の実施の形態に係る光ディスク記録装置１００の概略構成図である。光ディスク記録装置１００は、例えば、具体的には、ＤＶＤレコーダやＤＶＤドライブを備えたコンピュータなどが想定され、光ディスク１に対して情報を記録する。なお、後述する各部は図示しないシステム制御部によって制御されている。
【００４３】
出射部２は、主としてＬＤ（Laser Diode；半導体レーザ）で構成され、レーザ光を光ディスク１に出射し、情報の記録・再生を行うようになっている。
【００４４】
受光部３は、主としてＰＤ（Photo Diode）で構成され、出射したレーザ光の光ディスク１からの反射光を受光するようになっている。
【００４５】
スライダ部４は、主として出射部２と受光部３から構成されるＰＵＨ（Pick Up Head unit；ピックアップヘッドユニット）を、光ディスク１の半径方向に移動制御するようになっている。
【００４６】
プリ記録情報検出部５は、光ディスク１に予め形成されているウォブルやＬＰＰ等のプリ記録情報を検出し、検出したウォブル情報（例えば、ウォブル周波数）を駆動部６、検出したＬＰＰ情報をディスク情報取得部８とアドレス算出部９に送信するようになっている。
【００４７】
駆動部６は、プリ記録情報検出部５から送信されるウォブル情報をもとに、光ディスク１の回転制御を行うようになっている。
【００４８】
反射率測定部７は、ＯＰＣ時に記録した領域（ＯＰＣ記録領域）の反射率Ｒａｉ及び未記録領域の反射率Ｒｔｏｐを測定し、測定結果を記録パワー選択部１１に送信するようになっている。
【００４９】
ディスク情報取得部８は、光ディスク１に予め記録されているディスク情報（製造メーカ、型番、記録ストラテジなどに関する情報）を取得し、記録条件設定部１０に送信するようになっている。また、記録データを記録する領域（本実施の形態ではＯＰＣ記録領域でもある）の位置情報を取得し、記録パルス生成部１２に送信するようになっている。
【００５０】
アドレス算出部９は、プリ記録情報検出部５から送信されるＬＰＰ情報からアドレス情報を算出し、算出したアドレス情報を記録パルス生成部１２に送信するようになっている。
【００５１】
記録条件設定部１０は、ディスク情報取得部８から送信されたディスク情報に基づいて、好適なＯＰＣ記録信号のパルス幅Ｔａ、ＯＰＣ記録領域における反射率変化の目標値Ｒｒ、ＯＰＣ記録時の記録パワーＰａｉ、及びデータ記録時の記録ストラテジ（記録信号のパルス幅を含む）を取得するようになっている。そして、取得したＯＰＣ記録時の記録パワーＰａｉ及びＯＰＣ記録領域における反射率変化の目標値Ｒｒを記録パワー選択部１１に送信し、取得したＯＰＣ記録時の記録パワーＰａｉ、ＯＰＣ記録信号のパルス幅Ｔａ、及びデータ記録時の記録ストラテジを記録パルス生成部１２に送信するようになっている。
【００５２】
図１０は、記録条件設定部１０が保持するテーブルデータｄ１０の一例である。図１０に示すテーブルデータｄ１０は、データを記録するときの線速度である記録線速度ごとに、光ディスクの型番に応じて最適な、ＯＰＣ記録信号のパルス幅Ｔａ及びＯＰＣ記録領域における反射率変化の目標値Ｒｒを備えている。例えば、図１０によれば、光ディスク１の型番が「ＤＶＤ−○○○」の場合には、ＯＰＣ記録信号のパルス幅Ｔａは０．３５Ｔ、ＯＰＣ記録領域における反射率変化の目標値Ｒｒは９０．０％であり、光ディスク１の型番が「ＤＶＤ−×××」の場合には、ＯＰＣ記録信号のパルス幅Ｔａは０．４０Ｔ、ＯＰＣ記録領域における反射率変化の目標値Ｒｒは９３．０％である。なお、図示しないＯＰＣ記録時の記録パワーＰａｉ及び記録データを記録する記録ストラテジに関しても、線速度ごとに、光ディスクの型番に応じた好適な情報を取得するようにしてもよい。また、図１０に示すテーブルデータｄ１０は、光ディスク１の種類を一意に特定できる情報として型番を採用したが、型番以外の光ディスク１の種類を一意に特定できる情報を採用してもよいのは勿論である。
【００５３】
さらには、本実施の形態においては、光ディスク記録装置１００がテーブルデータｄ１０を保持する構成としたが、これに限定されるものでない。例えば、光ディスク１がテーブルデータｄ１０を保持する構成でもよいし、光ディスク記録装置１００が通信ネットワークを介して外部装置と相互に通信可能である場合には、インターネット網に接続された所定のサーバ装置がテーブルデータｄ１０を保持する構成でもよい。
【００５４】
記録パワー選択部１１は、記録条件設定部１０から送信されたＯＰＣ時に段階的に変化させる記録パワーＰａｉ及びＯＰＣ記録領域における反射率変化の目標値Ｒｒ、並びに反射率測定部７から送信されたＯＰＣ記録領域の反射率Ｒａｉ及び未記録領域の反射率Ｒｔｏｐに基づいて、反射率変化Ｒａｉ／Ｒｔｏｐ＝目標値Ｒｒとなる記録パワーＰａｉを求め、求めた記録パワーＰａｉを最適記録パワーＰｏとして決定するようになっている。また、決定した最適記録パワーＰｏを記録パルス生成部１２に送信するようになっている。
【００５５】
記録パルス生成部１２は、ＯＰＣ時及びデータ記録時に生成される記録パルスを生成し、ディスク情報取得部８から送信される位置情報及びアドレス算出部９から送信されるアドレス情報に基づいて、生成した記録パルスを出射部２に送信するようになっている。詳しくは、ＯＰＣ時には、記録条件設定部１０から送信されるＯＰＣ記録信号の記録パワーＰａｉとパルス幅Ｔａから、ＯＰＣ記録信号を生成し、データ記録時には、記録パワー選択部１１から送信される最適記録パワーＰｏと、記録条件設定部１０から送信される記録ストラテジ（記録信号のパルス幅を含む）から、データ記録用の記録信号を生成するようになっている。
【００５６】
＜ＯＰＣにおける最適記録パワー決定方法＞
次に、図１１を用いて、光ディスク記録装置１００の動作について説明する。図１１は、本実施の形態に係る光ディスク記録装置１００の最適記録パワー決定処理の流れを示すフローチャートである。
【００５７】
光ディスク記録装置１００は、装着された光ディスク１に予め記録されているディスク情報を取得する（ステップＳ１０）。ディスク情報とは、具体的には、製造メーカ・型番、記録層の種類、記録ストラテジなどである。
【００５８】
次いで、光ディスク記録装置１００は、取得したディスク情報に基づいて、テーブルデータｄ１０を取得し、装着された光ディスク１の種類に合致した、ＯＰＣ記録信号のパルス幅Ｔａ及びＯＰＣ記録領域における反射率変化の目標値Ｒｒを決定する（ステップＳ２０）。詳しくは、図１０に示すようなディスク情報（型番）に応じたテーブルデータｄ１０を取得して、ＯＰＣ記録信号のパルス幅Ｔａ及びＯＰＣ記録領域における反射率変化の目標値Ｒｒを決定する。
【００５９】
次いで、光ディスク記録装置１００は、ステップＳ２０で決定したＯＰＣ記録信号のパルス幅Ｔａに従って、ＯＰＣ記録信号のパルス幅Ｔａを設定し（ステップＳ３０）、データ領域の未記録領域に段階的に記録パワーＰａｉを変更して、ＯＰＣ記録を行う（ステップＳ４０）。
【００６０】
次いで、光ディスク記録装置１００は、段階的に記録パワーＰａｉを変更して行った各ＯＰＣ記録領域の反射率Ｒａｉ、及びＯＰＣ記録を行っていない未記録領域の反射率Ｒｔｏｐを測定する（ステップＳ５０）。
【００６１】
次いで、光ディスク記録装置１００は、ステップＳ５０で測定した各ＯＰＣ記録領域の反射率Ｒａｉ、及びＯＰＣを行っていない未記録領域の反射率Ｒｔｏｐから、各ＯＰＣ記録領域の反射率変化Ｒａｉ／Ｒｔｏｐを求め、反射率変化Ｒａｉ／ＲｔｏｐがステップＳ２０で決定したＯＰＣ記録領域における反射率変化の目標値Ｒｒと一致する記録パワーＰａｉを最適記録パワーＰｏとして決定する（ステップＳ６０）。
【００６２】
以上から、本実施の形態のＯＰＣによれば、ＯＰＣ記録信号として矩形パルスを用いてデータ領域に、ＯＰＣ記録領域の反射率の低下を一定とするＯＰＣ記録を行うとともに、ＯＰＣ記録領域の反射率を測定し、測定したＯＰＣ記録領域の反射率変化が目標値に一致するＯＰＣ記録の記録パワーを最適記録パワーとして決定する。そして、最適記録パワーを決定するためのＯＰＣ記録信号としての矩形パルスのパルス幅及び反射率変化の目標値は、ＯＰＣ記録領域に重ね書きしても再生特性が良好な値が取得される。この結果、本実施形態によれば、データ領域にＯＰＣを行うことができるとともに、記録容量を減少させない情報記録技術を提供することができる。
【００６３】
なお、従来のＯＰＣにおいては、ジッタやエラーレートなどの再生特性に関する値から最適記録パワーを求めていたので、演算処理及び広い範囲での測定が必要であり、また、測定時間も長くかかっていた。これに対して、本実施の形態のＯＰＣにおいては、所定の一か所の反射率を測定するだけで直接、最適記録パワーが得られるので、簡単かつ短時間に最適記録パワーを求めることができる。また、測定値のばらつきを抑えることができる。
【００６４】
なお、上述した光ディスク記録装置１００の最適記録パワー決定処理の動作は、光ディスク記録装置１００に格納されたプログラムを実行することにより実現され、このプログラムは、ＲＯＭ、ハードディスク、ＣＤ−ＲＯＭ、ＤＶＤ−ＲＯＭなどのコンピュータ読み取り可能な記録媒体に記録することも、また、通信ネットワークを介して配信することも可能である。
【００６５】
また、本実施の形態（実験）においては、図１２（ａ）に示すように、１トラックすべてに対してＯＰＣ記録を行ったが、図１２（ｂ）に示すように、１トラックの一部に対してＯＰＣ記録を行ってもよい。この場合には、１トラックすべてに対してＯＰＣ記録を行った場合と比べて、データの重ね書きをする領域が１トラックの一部のみとなるので、再生特性が悪化する範囲を小さく抑えることができる。
【００６６】
なお、反射率は、光スポット長（光ディスクの記録層上に集光されるレーザ光の直径）の１／２、または最短記録マーク長（例えば、光ディスクがＤＶＤの場合には３Ｔ、ＢＤの場合には２Ｔ）程度の長さがあれば測定可能となっているので、図１２（ｃ）に示すように、１パルス分のＯＰＣ記録信号を段階的に変更するＯＰＣ記録としてもよい。
【００６７】
また、段階的に記録パワーＰａを変更して記録した各ＯＰＣ記録領域は、図５に示すように、１トラック内に限定されるものではなく、複数のトラックに跨ってもよい。図１３は、ＯＰＣ記録を行う角度を一定にしてＯＰＣ記録を行う場合（光ディスクの中心から見て特定の半径方向だけにＯＰＣ記録を行う場合）のＯＰＣ記録信号とトラックとの関係を示す図である。この場合には、段階的に変更するそれぞれの記録パワーごとに、１トラックの特定方向にＯＰＣ記録を行う。具体的には、図１３に示すように、記録パワーＰａ１でトラック１の角度α方向、記録パワーＰａ２でトラック２の角度α方向、及び記録パワーＰａ３でトラック３の角度α方向に、それぞれ所定の長さのＯＰＣ記録を行う。ＯＰＣ記録を行う角度を一定にしてＯＰＣ記録を行う場合には、光ディスクの周内変動による,影響（ＯＰＣ記録を行う角度による反射率の変動）を抑えることができるので、より正確に反射率を測定でき、以て、さらに正確に最適記録パワーＰｏを決定することができる。また、ＯＰＣを行う特定方向は、1トラックに複数あってもよい。この場合、それぞれの特定方向ごとに得られる最適記録パワーから、データ記録を行う最適記録パワーＰｏを算出する。なお、ＯＰＣ記録領域となる複数のトラックは、隣接する複数のトラックでもよいし、隣接しない複数のトラックでもよい。
【００６８】
また、本実施の形態においては、ＯＰＣ記録信号を、１基準クロック（クロック周波数）に対して１パルス（１Ｔ≧Ｔａ）の構成としたが、ＯＰＣ記録信号はこれに限定されない。ＯＰＣ記録領域の反射率が一様に低下するのであれば、例えば、２基準クロック（クロック周波数）に対して１パルス（２Ｔ≧Ｔａ）の構成としてもよい。
【００６９】
また、本実施の形態では、ＯＰＣ記録信号の好適な例として矩形パルスを用いたが、これに限定されるものではなく、例えば、データ記録時の記録ストラテジ（記録信号のパルス幅）を有する記録信号をＯＰＣ記録信号としてもよい。
【００７０】
また、本実施の形態（実験）においては、追記型の光ディスクであるＤＶＤ−Ｒを用いたが、本実施の形態に係るＯＰＣは、ＤＶＤ−Ｒ、ＣＤ−Ｒ、ＢＤ−Ｒなどの追記型の光ディスクだけに適用されるものではなく、記録を行うことで反射率が変化する光ディスクであれば、特に限定されるものではない。例えば、ＣＤ−ＲＷ、ＤＶＤ±ＲＷ、ＢＤ−ＲＥなどの書換型の光ディスクでもよい。また、本実施の形態（実験）では、記録することにより反射率が小さくなる光ディスクであったが、記録することにより反射率が大きくなる光ディスクであってもよい。さらに、本実施の形態（実験）では、情報記録媒体として光ディスクを用いたが、本実施に係るＯＰＣは、反射率の変化を利用して記録を行うのであれば、光ディスクに限定されず、他の光記録媒体に広く適用することが可能である。
【００７１】
また、本実施の形態では、その後のデータ記録を考慮したため、データ領域に対してＯＰＣ記録を行ったが、ＯＰＣ記録領域はデータ領域に限定されるものではない。例えば、ＤＴＡをはじめとして、光ディスクの記録が可能な領域であれば、ＯＰＣ記録領域はどこでもあってもよい。
【００７２】
なお、本実施の形態の最適記録パワー決定方法は、測定したＯＰＣ記録領域の反射率から、直接、最適記録パワーＰｏを求める方法であったが、直接求めた最適記録パワーＰｏに所定の演算を行って、最適記録パワーＰｏを修正するようにしてもよい。例えば、温度や湿度を加味して最適記録パワーＰｏを修正してもよいし、再生時の再生特性によって、次回以降の最適記録パワーＰｏを修正するようにしてもよい。
【００７３】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【符号の説明】
【００７４】
１  光ディスク
２  出射部
３  受光部
４  スライダ部
５  プリ記録情報検出部
６  駆動部
７  反射率測定部
８  ディスク情報取得部
９  アドレス算出部
１０  記録条件設定部
１１  記録パワー選択部
１２  記録パルス生成部
１００  光ディスク記録装置
ｄ１０  テーブルデータ
【図１】
2011187121.tif 000003
【図２】
2011187121.tif 000004
【図３】
2011187121.tif 000005
【図４】
2011187121.tif 000006
【図５】
2011187121.tif 000007
【図６】
2011187121.tif 000008
【図７】
2011187121.tif 000009
【図８】
2011187121.tif 000010
【図９】
2011187121.tif 000011
【図１０】
2011187121.tif 000012
【図１１】
2011187121.tif 000013
【図１２】
2011187121.tif 000014
【図１３】
2011187121.tif 000015